(57)【要約】【課題】  運転コストの低減及び省エネ化を効果的に達成し得る吸着式の除湿装置を提供する。【解決手段】  除湿対象空気ＲＡを冷却する予冷手段１９と、この予冷手段１９により冷却した除湿対象空気ＲＡを吸着剤Ｘによる水分吸着により除湿する除湿手段３，４と、この除湿手段３，４で除湿した空気ＳＡを加熱する再熱手段とを備える除湿装置において、再熱手段は、再生用高温気体ＨＡの生成に使用した後の高温熱媒Ｓ′を熱源として除湿空気ＳＡを加熱する第１再熱部１８と、吸着剤Ｘの再生に使用した後の再生用高温気体ＨＡ′を熱源として除湿空気ＳＡを加熱する第２再熱部１７と、外気ＯＡの冷却に使用した後の予冷用熱媒Ｌ２を熱源として除湿空気ＳＡを加熱する第３再熱部１６とのうち、少なくとも２つの再熱部を備える構成にし、それら装備する複数の再熱部は、上記の記載順とは逆の順序で除湿空気ＳＡを順次に加熱する状態に配置する。【選択図】        図１
2006326504.tif 000002
【特許請求の範囲】
【請求項１】
除湿対象空気を冷却する予冷手段と、この予冷手段により冷却した除湿対象空気を吸着剤による水分吸着により除湿する除湿手段と、この除湿手段で除湿した空気を加熱する再熱手段とを備える除湿装置であって、
水分吸着した前記吸着剤の再生に用いる再生用高温気体を高温熱媒による加熱により生成する再生用加熱部を設けるのに対し、
前記再熱手段は、前記再生用加熱部での再生用高温気体の生成に使用した後の前記高温熱媒を熱源として除湿空気を加熱する構成にしてある除湿装置。
【請求項２】
除湿対象空気を冷却する予冷手段と、この予冷手段により冷却した除湿対象空気を吸着剤による水分吸着により除湿する除湿手段と、この除湿手段で除湿した空気を加熱する再熱手段とを備える除湿装置であって、
水分吸着した前記吸着剤を再生用高温気体による加熱により再生する再生部を設けるのに対し、
前記再熱手段は、前記再生部での吸着剤再生に使用した後の前記再生用高温気体を熱源として除湿空気を加熱する構成にしてある除湿装置。
【請求項３】
除湿対象空気を冷却する予冷手段と、この予冷手段により冷却した除湿対象空気を吸着剤による水分吸着により除湿する除湿手段と、この除湿手段で除湿した空気を加熱する再熱手段とを備える除湿装置であって、
前記除湿対象空気に混合する外気を予冷用熱媒により冷却する外気予冷部を設けるのに対し、
前記再熱手段は、前記外気予冷部での外気冷却に使用した後の前記予冷用熱媒を熱源として除湿空気を加熱する構成にしてある除湿装置。
【請求項４】
除湿対象空気を冷却する予冷手段と、この予冷手段により冷却した除湿対象空気を吸着剤による水分吸着により除湿する除湿手段と、この除湿手段で除湿した空気を加熱する再熱手段とを備える除湿装置であって、
前記再熱手段は、水分吸着した前記吸着剤の再生に用いる再生用高温気体の生成に使用した後の高温熱媒を熱源として除湿空気を加熱する第１再熱部と、
水分吸着した前記吸着剤の再生に使用した後の再生用高温気体を熱源として除湿空気を加熱する第２再熱部と、
前記除湿対象空気に混合する外気の冷却に使用した後の予冷用熱媒を熱源として除湿空気を加熱する第３再熱部とのうち、少なくとも２つの再熱部を備える構成にし、
それら装備する複数の再熱部は、上記の記載順とは逆の順序で除湿空気を順次に加熱する状態に配置してある除湿装置。
【発明の詳細な説明】
【技術分野】
【０００１】
本発明は、例えば露点温度が−７０℃といった超低露点温度の空気（すなわち、超低湿の空気）の生成などに用いる除湿装置に関し、詳しくは、除湿対象空気を冷却する予冷手段と、この予冷手段により冷却した除湿対象空気を吸着剤による水分吸着により除湿する除湿手段と、この除湿手段で除湿した空気を加熱する再熱手段とを備える除湿装置に関する。
【背景技術】
【０００２】
上記除湿装置は、吸着剤による水分吸着により空気を除湿することにおいて、その除湿性能（換言すれば、吸着剤の吸着性能）を高めるために、除湿手段での除湿に先立ち予冷手段により除湿対象空気を冷却し、また、この予冷手段での冷却のため除湿後の空気の温度が過度の低温になることに対し、除湿手段で除湿した空気を再熱手段により加熱（いわゆる再熱）することで、その除湿空気を所要の温度に調整するものである。
【０００３】
そして従来、この種の除湿装置では、再熱手段において除湿空気を加熱するのに、除湿空気の加熱に供するために生成した蒸気や温水（言わば専用蒸気や専用温水）、あるいは、除湿空気の加熱に供するために発生させた電熱（言わば専用電熱）を熱源として除湿空気を加熱するようにしていた。
【０００４】
また、除湿装置とは別の熱装置が手近にある場合には、省エネ化を図るため、再熱手段において除湿空気を加熱するのに、その手近な熱装置の排熱を熱源として除湿空気を加熱する場合もあった。
【発明の開示】
【発明が解決しようとする課題】
【０００５】
しかし、この種の除湿装置は、予冷手段で冷却した空気を再熱手段で加熱するという熱的には無駄のある処理形態を採るため、再熱手段において除湿空気を加熱するのに、その除湿空気の加熱のために生成した専用蒸気や専用温水、あるいは、その除湿空気の加熱のために発生させた専用電熱を用いる前記の従来装置では、それら専用蒸気や専用温水の生成、あるいは、専用電熱の発生に要するエネルギ消費（言わば、浪費的なエネルギ消費）がかなり大きく、この為、装置の運転コストが嵩む問題があり、また、省エネ化の面でも改善の余地があった。
【０００６】
そしてまた、再熱手段で除湿空気を加熱するのに、除湿装置とは別の手近な熱装置の排熱を熱源として除湿空気を加熱する場合では、その排熱利用により運転コストを低減することができ、また、省エネ化も実現できるが、そのような適当な排熱を得ることができる熱装置が手近にない場合では、除湿空気の加熱のために生成した専用蒸気や専用温水、あるいは、除湿空気の加熱のために発生させた専用電熱を熱源として除湿空気を加熱することになり、やはり上記の問題を生じることになっていた。
【０００７】
この実情に鑑み、本発明の主たる課題は、除湿装置そのものの合理的な改良により上記の如き問題を効果的に解消する点にある。
【課題を解決するための手段】
【０００８】
〔１〕本発明の第１特徴構成は除湿装置に係り、その特徴は、
除湿対象空気を冷却する予冷手段と、この予冷手段により冷却した除湿対象空気を吸着剤による水分吸着により除湿する除湿手段と、この除湿手段で除湿した空気を加熱する再熱手段とを備える除湿装置において、
水分吸着した前記吸着剤の再生に用いる再生用高温気体を高温熱媒による加熱により生成する再生用加熱部を設けるのに対し、
前記再熱手段は、前記再生用加熱部での再生用高温気体の生成に使用した後の前記高温熱媒を熱源として除湿空気を加熱する構成にして点にある。
【０００９】
つまり、この第１特徴構成によれば、除湿手段で除湿した空気を再熱手段により加熱するのに、再生用加熱部での再生用高温気体の生成に使用した後の高温熱媒（換言すれば、除湿装置の一部である再生用加熱部からの排熱保有熱媒）を熱源として除湿空気を加熱するから、除湿空気の加熱のために生成した専用蒸気や専用温水、あるいは、除湿空気の加熱のために発生させた専用電熱を用いて除湿空気を加熱する先述の従来装置に比べ、それら専用蒸気や専用温水の生成、あるいは、専用電熱の発生に要する再熱手段での浪費的なエネルギ消費を効果的に解消することができ、これにより、装置の運転コストを効果的に低減し得るとともに、省エネ化も効果的に実現することができる。
【００１０】
そしてまた、除湿装置の一部である再生用加熱部からの排熱（すなわち、除湿装置自身の排熱）を利用して除湿空気を加熱するから、除湿空気の加熱に利用可能な排熱を得ることができる適当な熱装置が除湿装置の手近にあるか否かにかかわらず、上記の如き排熱利用をもって運転コストの低減及び省エネ化を効果的に実現することができ、この点で汎用性や実施性にも極めて優れた除湿装置にすることができる。
【００１１】
なお、第１特徴構成の実施において、再生用加熱部での再生用高温気体の生成に用いる高温熱媒は、その保有熱による加熱をもって所要温度の再生用高温気体を生成し得るものであれば、例えば蒸気（高温水蒸気）や燃焼ガスなど、どのようなものであってもよい。
【００１２】
また、再生用加熱部での再生用高温気体の生成に使用した後の高温熱媒を用いて再熱手段で除湿空気を加熱するのに、その具体的な加熱方式は、例えば再生用加熱部で使用した後の高温熱媒と除湿空気とを熱交換器で伝熱壁を介して直接的に熱交換させる方式や、再生用加熱部で使用した後の高温熱媒と除湿空気とを中間熱媒を介して間接的に熱交換させる方式など、種々の方式を採用することができる。
【００１３】
〔２〕本発明の第２特徴構成は除湿装置に係り、その特徴は、
除湿対象空気を冷却する予冷手段と、この予冷手段により冷却した除湿対象空気を吸着剤による水分吸着により除湿する除湿手段と、この除湿手段で除湿した空気を加熱する再熱手段とを備える除湿装置において、
水分吸着した前記吸着剤を再生用高温気体による加熱により再生する再生部を設けるのに対し、
前記再熱手段は、前記再生部での吸着剤再生に使用した後の前記再生用高温気体を熱源として除湿空気を加熱する構成にしてある点にある。
【００１４】
つまり、この第２特徴構成によれば、除湿手段で除湿した空気を再熱手段において加熱するのに、再生部での吸着剤再生に使用した後の再生用高温気体（換言すれば、除湿装置の一部である再生部からの排熱保有熱媒）を熱源として除湿空気を加熱するから、第１特徴構成と同様、除湿空気の加熱のために生成した専用蒸気や専用温水、あるいは、除湿空気の加熱のために発生させた専用電熱を用いて除湿空気を加熱する先述の従来装置に比べ、それら専用蒸気や専用温水の生成、あるいは、専用電熱の発生に要する再熱手段での浪費的なエネルギ消費を効果的に解消することができ、これにより、装置の運転コストを効果的に低減し得るとともに、省エネ化も効果的に実現することができる。
【００１５】
そしてまた、除湿装置の一部である再生部からの排熱（すなわち、除湿装置自身の排熱）を利用して除湿空気を加熱するから、これも第１特徴構成と同様、除湿空気の加熱に利用可能な排熱を得ることができる適当な熱装置が除湿装置の手近にあるか否かにかかわらず、上記の如き排熱利用をもって運転コストの低減及び省エネ化を効果的に実現することができ、この点で汎用性や実施性にも極めて優れた除湿装置にすることができる。
【００１６】
なお、第２特徴構成の実施において、再生部での吸着剤再生に用いる再生用高温気体は、その再生用高温気体による加熱により吸着剤から吸着水分を脱着させ得るもの（すなわち、吸着剤を再生し得るもの）であれば、例えば高温空気や蒸気あるいは燃焼ガスなど、どのようなものであってもよい。
【００１７】
また、再生部での吸着剤再生に使用した後の再生用高温気体を用いて再熱手段で除湿空気を加熱するのに、その具体的な加熱方式は、例えば再生部で使用した後の再生用高温気体と除湿空気とを熱交換器で伝熱壁を介して直接的に熱交換させる方式や、再生部で使用した後の再生用高温気体と除湿空気とを中間熱媒を介して間接的に熱交換させる方式など、種々の方式を採用することができる。
【００１８】
そしてまた、第２特徴構成の実施にあたり、再生部で使用した後の再生用高温気体と排熱回収用熱媒とを熱交換させる排熱回収部としての熱交換器を設けるとともに、除湿空気を排熱回収用熱媒との熱交換により加熱する再熱部としての熱交換器を設けて、これら２つの熱交換器どうしの間で中間熱媒としての排熱回収用熱媒を循環させる所謂ランアラウンド型の熱交換手段を再熱手段として採用すれば、再生部で使用した後の再生用高温空気と除湿空気とを熱交換器で伝熱壁を介して直接的に熱交換させる方式を採るに比べ、再生部で使用した後の再生用高温気体を導く風路と、除湿手段で除湿した空気を導く風路との相対的な位置関係に対する対応を容易にすることができ、その分、装置の設計製作を容易にすることができる。
【００１９】
〔３〕本発明の第３特徴構成は除湿装置に係り、その特徴は、
除湿対象空気を冷却する予冷手段と、この予冷手段により冷却した除湿対象空気を吸着剤による水分吸着により除湿する除湿手段と、この除湿手段で除湿した空気を加熱する再熱手段とを備える除湿装置において、
前記除湿対象空気に混合する外気を予冷用熱媒により冷却する外気予冷部を設けるのに対し、
前記再熱手段は、前記外気予冷部での外気冷却に使用した後の前記予冷用熱媒を熱源として除湿空気を加熱する構成にしてある点にある。
【００２０】
つまり、この第３特徴構成によれば、除湿手段で除湿した空気を再熱手段において加熱するのに、外気予冷部での外気冷却に使用した後の予冷用熱媒（すなわち、外気から奪取した熱を保有する熱媒であって、換言すれば、除湿装置の一部である外気予冷部からの排熱保有熱媒）を熱源として除湿空気を加熱するから、第１，第２特徴構成と同様、除湿空気の加熱のために生成した専用蒸気や専用温水、あるいは、除湿空気の加熱のために発生させた専用電熱を用いて除湿空気を加熱する先述の従来装置に比べ、それら専用蒸気や専用温水の生成、あるいは、専用電熱の発生に要する再熱手段での浪費的なエネルギ消費を効果的に解消することができ、これにより、装置の運転コストを効果的に低減し得るとともに、省エネ化も効果的に実現することができる。
【００２１】
そしてまた、除湿装置の一部である外気予冷部からの排熱（すなわち、除湿装置自身の排熱）を利用して除湿空気を加熱するから、これも第１，第２特徴構成と同様、除湿空気の加熱に利用可能な排熱を得ることができる適当な熱装置が除湿装置の手近にあるか否かにかかわらず、上記の如き排熱利用をもって運転コストの低減及び省エネ化を効果的に実現することができ、この点で汎用性や実施性にも極めて優れた除湿装置にすることができる。
【００２２】
なお、第３特徴構成の実施において、外気予冷部での外気冷却に用いる予冷用熱媒は、それにより外気を冷却し得るものであれば、例えば冷却水や冷却用ブラインあるいは冷凍回路の冷媒など、どのようなものであってもよい。
【００２３】
また、外気予冷部での外気冷却に使用した後の予冷用熱媒を用いて再熱手段で除湿空気を加熱するのに、その具体的な加熱方式は、例えば外気予冷部で使用した後の予冷用熱媒と除湿空気とを熱交換器で伝熱壁を介して直接的に熱交換させる方式や、外気予冷部で使用した後の予冷用熱媒と除湿空気とを中間熱媒を介して間接的に熱交換させる方式など、種々の方式を採用することができる。
【００２４】
そしてまた、第３特徴構成の実施にあたり、外気を予冷用熱媒との熱交換により冷却する外気予冷部としての熱交換器を設けるとともに、除湿空気を予冷用熱媒との熱交換により加熱する再熱部としての熱交換器を設けて、これら２つの熱交換器どうしの間で中間熱媒としての予冷用熱媒を循環させる所謂ランアラウンド型の熱交換手段を再熱手段として採用すれば、その予冷用熱媒の循環使用により装置構成を簡素化することができる。
【００２５】
〔４〕本発明の第４特徴構成は除湿装置に係り、その特徴は、
除湿対象空気を冷却する予冷手段と、この予冷手段により冷却した除湿対象空気を吸着剤による水分吸着により除湿する除湿手段と、この除湿手段で除湿した空気を加熱する再熱手段とを備える除湿装置において、
前記再熱手段は、水分吸着した前記吸着剤の再生に用いる再生用高温気体の生成に使用した後の高温熱媒を熱源として除湿空気を加熱する第１再熱部と、
水分吸着した前記吸着剤の再生に使用した後の再生用高温気体を熱源として除湿空気を加熱する第２再熱部と、
前記除湿対象空気に混合する外気の冷却に使用した後の予冷用熱媒を熱源として除湿空気を加熱する第３再熱部とのうち、少なくとも２つの再熱部を備える構成にし、
それら装備する複数の再熱部は、上記の記載順とは逆の順序で除湿空気を順次に加熱する状態に配置してある点にある。
【００２６】
つまり、この第４特徴構成によれば、前述の第１特徴構成を採る第１再熱部と、前述の第２特徴構成を採る第２採熱部と、前述の第３特徴構成を採る第３再熱部とのうち、少なくとも２つの再熱部を再熱手段として装備するから、これら第１〜第３再熱部のうち１つの再熱部のみを再熱手段として装備する構成に比べ、温度調整のための除湿空気の加熱に使用し得る熱量（すなわち、使用可能再熱量）を大きく確保することができる。
【００２７】
また、再生部での吸着剤再生に使用した後の再生用高温気体は、再生用加熱部での再生用高温気体の生成に使用した後の高温熱媒よりも一般的に低温で、外気予冷部での外気冷却に使用した後の予冷用熱媒よりも一般的に高温であることから、上記第１〜第３再熱部のうち少なくとも２つの再熱部を装備することにおいて、それら装備する複数の再熱部を上記の記載順（すなわち、第１再熱部、第２再熱部、第３再熱部の順）とは逆の順序で除湿空気を順次に加熱する状態に配置すれば、下流側再熱部で得られる加熱温度よりも高い温度まで既に上流側再熱部において除湿空気が加熱されてしまうことを回避することができて、装備した複数の再熱部の夫々を有効に機能させることができる。
【００２８】
すなわち、このように除湿空気の加熱（再熱）に使用し得る熱量を大きく確保し得るとともに、装備する複数の再熱部の夫々を有効に機能させ得ることで、その分、予冷手段での除湿対象空気の冷却量を大きくすることができて、除湿対象空気の冷却による除湿性能の向上を一層効果的に実現することができる。
【発明を実施するための最良の形態】
【００２９】
図１において、１は空気中水分の存在を嫌う物品（例えば電池、電子部品、薬剤、フィルム等）の製造作業を行なう低湿化対象域としてのドライルームであり、このドライルーム１へは、吸着ロータ使用の除湿装置２により生成した超低湿の空気ＳＡを供給し、この超低湿空気ＳＡの供給によりドライルーム１を所要の低湿雰囲気に維持する。
【００３０】
除湿装置２の吸着ロータ３は、シリカゲル、ゼオライト、活性炭などの吸着剤を用いた通気性の吸着剤層Ｘをロータ構成材としてロータ回転方向に連続的に配置したものであり、本実施形態では図２に示す如く、ロータ回転軸芯Ｐの方向に空気を通過させる円盤状の吸着ロータ３を用いている。
【００３１】
吸着ロータ３の回転経路は、ロータ回転方向において主除湿域４、予除湿域５、再生処理域６、パージ処理域７の四域に区画してあり、これら四域４〜７を上記の記載順にロータ回転方向に並べた配置にすることで、吸着ロータ３の回転に伴い、ロータ各部を主除湿域４、予除湿域５、再生処理域６、パージ処理域７の順で循環移行させる。
【００３２】
そして、主除湿域４では、主除湿対象の空気ＭＡを域内通過過程のロータ部分（すなわち、再生処理後で吸着剤層Ｘの吸着能力が高いロータ部分）に通風することで、そのロータ部分の吸着剤層Ｘによる水分吸着で主除湿対象の空気ＭＡを除湿（主除湿）し、主除湿域４に続く予除湿域５では、外気導入路８からの導入外気ＯＡを域内通過過程のロータ部分に主除湿域４と同じ通風向きで通風することにより、そのロータ部分の吸着剤層Ｘの残存吸着能力による水分吸着で導入外気ＯＡを除湿（予除湿）する。
【００３３】
また、予除湿域５に続く再生処理域６では、再生用高温気体ＨＡを域内通過過程のロータ部分に主除湿域４や予除湿域５とは逆の通風向きで通風することにより、主除湿域４及び予除湿域５で水分吸着したロータ部分の吸着剤層Ｘから再生用高温気体ＨＡによる加熱で吸着水分を脱着させて、そのロータ部分の吸着剤層Ｘを再生処理し、再生処理域６に続くパージ処理域７では、パージ用気体ＰＡを域内通過過程のロータ部分に主除湿域４や予除湿域５と同じ通風向きで通風することにより、次の主除湿域４への移行に先立ち、そのロータ部分の吸着剤層Ｘ中に残る再生用高温気体ＨＡを排除するとともに、そのロータ部分の吸着剤層Ｘを冷却する。
【００３４】
除湿装置２の風路構成については、予除湿域５を通過して風路９に送出される予除湿後の外気Ａ１を風路１０と風路１１とに分流するとともに、還気風路１２により導かれるドライルーム１からの還気空気ＲＡに対して、風路１０に分流した予除湿後の外気Ａ２を混合し、この混合空気ＲＡ・Ａ２を風路１３を通じ主除湿対象空気ＭＡとして主除湿域４に送るようにしてある。また一方、風路１１に分流した予除湿後の外気Ａ３をパージ用気体ＰＡとしてパージ処理域７に送るようにしてある。
【００３５】
そして、主除湿域４から風路１４に送出される主除湿後の空気ＳＡを後冷却器１５、第３再熱器１６、第２再熱器１７、第１再熱器１８に対しその順に通過させてドライルーム１に送るようにし、また、還気風路１２には、ドライルーム１からの還気空気ＲＡを主除湿域４での除湿に先立ち冷却する予冷器１９を介装し、外気導入路８には、導入外気ＯＡを予除湿域５での除湿に先立ち冷却する第１及び第２の外気予冷器２０，２１を介装してある。
【００３６】
つまり、ドライルーム１からの還気空気ＲＡを予冷器１９により冷却して主除湿対象空気ＭＡを低温にすることで、主除湿域４での吸着剤層Ｘの吸着性能を高めて主除湿対象空気ＭＡに対する除湿性能を高めるようにし、同様に、導入外気ＯＡを第１及び第２の外気予冷器２０，２１により冷却することで、予除湿域５での吸着剤層Ｘの吸着性能を高めて導入外気ＯＡに対する除湿性能を高めるようにしてある。
【００３７】
また、主除湿域４から送出される主除湿後の空気ＳＡを後冷却器１５あるいは第３〜第１再熱器１６〜１８により温度調整することで、ドライルーム１を所要の温湿度状態に保つようにしてあり、特に、予冷器１９による還気空気ＲＡの冷却のために主除湿後の空気ＳＡが過度の低温になる場合、主除湿域４から送出される主除湿後の空気ＳＡを第３〜第１再熱器１６〜１８により加熱することで、ドライルーム１に送る主除湿後の空気ＳＡを所要温度まで昇温させる。
【００３８】
各部における空気状態値の一例としては次の例を挙げることができる。
ドライルーム１の室内温度：２３℃（乾球）
ドライルーム１の室内露点温度：−４５℃
予冷器１９の出口空気温度：１２℃（乾球）
主除湿域４の出口空気温度：１７℃（乾球）
主除湿域４の出口空気露点温度：−７０℃
第１再熱器１８の出口空気温度：２３℃（乾球）
（但し、ドライルーム１内に発熱源がない場合）
【００３９】
なお、２２はドライルーム１からの還気空気ＲＡに対する予除湿後外気Ａ２の混合量にほぼ等しい風量の室内空気をドライルーム１から外部へ排出する排気路である。
【００４０】
２３は再生処理域６に送る再生用高温気体ＨＡを加熱生成する再生用加熱器であり、外気冷却器２０，２１よりも下流側において外気導入路８から風路２４へ分流した冷却後外気ＯＡの一部ＯＡ′と、パージ処理域７から風路２５へ送出される使用済みパージ用気体ＰＡ′（すなわち、パージ処理に用いた後の予除湿後外気Ａ３）と、再生処理域６からの使用済み再生用高温気体ＨＡ′を導く再生用排気路２６から風路２７へ分流した使用済み再生用高温気体ＨＡ′の一部ＨＡ″との三者を混合して、その混合気ＯＡ′・ＰＡ′・ＨＡ″を再生用加熱器２３において高温蒸気Ｓとの熱交換により加熱し、この加熱混合気を再生用高温気体ＨＡとして再生用風路２８を通じ再生処理域６に送るようにしてある。
【００４１】
２９は再生用加熱器２３において混合気ＯＡ′・ＰＡ′・ＨＡ″との熱交換による熱消費で発生する高温蒸気Ｓの凝縮水Ｓ′を蒸気トラップ３０を通じて還水タンク３１に導く還水路であり、３つの再熱器１６〜１８のうちで最も下流側に配置する第１再熱器１８では、還水タンク３１から凝縮水路３２を通じて供給される高温の凝縮水Ｓ′を主除湿後の空気ＳＡと熱交換させることにより、主除湿後の空気ＳＡを加熱（再熱）するようにしてある。３３は主除湿後空気ＳＡとの熱交換で低温化した凝縮水Ｓ″を第１再熱器１８から排出する排水路である。
【００４２】
再生処理域６から送出される使用済みの再生用高温気体ＨＡ′を導く再生用排気路２６には、使用済み再生用高温気体ＨＡ′との熱交換により排熱回収用熱媒Ｌ１を加熱（すなわち、使用済み再生用高温気体ＨＡ′の保有熱を回収）する排熱回収器３４を介装してあり、３つの再熱器１６〜１８のうちで他の二つの間に配置する第２再熱器１７では、排熱回収器３４との間で循環路３５を通じて循環させる排熱回収用熱媒Ｌ１を主除湿後の空気ＳＡと熱交換させることで、主除湿後の空気ＳＡを加熱（再熱）するようにしてある。
【００４３】
外気導入路８に介装した第１外気予冷器２０では、予冷用熱媒Ｌ２との熱交換により導入外気ＯＡを冷却（換言すれば、外気ＯＡの保有熱を回収）するようにしてあり、３つの再熱器１６〜１８のうちで最も上流側に配置する第３再熱器１６では、第１外気予冷器２０との間で循環路３６を通じて循環させる予冷用熱媒Ｌ２を主除湿後の空気ＳＡと熱交換させることで、主除湿後の空気ＳＡを加熱（再熱）するようにしてある。
【００４４】
なお、第１再熱器１８での主除湿後空気ＳＡの加熱量は、第１再熱器１８に対する高温凝縮水Ｓ′の供給流量を調整することで調整し、第２，第３再熱器１７，１６での主除湿後空気ＳＡの加熱量は、各循環路３５，３６での排熱回収用熱媒Ｌ１や予冷用熱媒Ｌ２の循環流量を調整することで調整する。
【００４５】
また、第３再熱器１６については、センサーにより検出する外気ＯＡの温度と主除湿域４の出口空気温度との比較に基づき、外気ＯＡの温度が主除湿域４の出口空気温度よりも高いときのみ、予冷用熱媒Ｌ２の循環運転を実施して第３再熱器１６での主除湿後空気ＳＡの加熱を行うようにしてある。
【００４６】
以上要するに、本実施形態において、予冷器１９は除湿対象空気ＲＡ（還気空気）を冷却する予冷手段を構成し、主除湿域４及び吸着ロータ３における主除湿域通過部分は、予冷手段１９により冷却した除湿対象空気ＲＡを吸着剤Ｘによる水分吸着により除湿する除湿手段を構成し、第１〜第３再熱器１８〜１６は、除湿手段４，３で除湿した空気ＳＡを加熱する再熱手段を構成する。
【００４７】
また、再生用加熱器２３は、水分吸着した吸着剤Ｘの再生に用いる再生用高温気体ＨＡを高温熱媒Ｓ（高温蒸気）による加熱により生成する再生用加熱部を構成し、これに対し、第１再熱器１８は、再生用加熱部２３での再生用高温気体ＨＡの生成に使用した後の高温熱媒Ｓ′（高温凝縮水）を熱源として除湿空気ＳＡを加熱する第１再熱部を構成する。
【００４８】
また、再生処理域６は、水分吸着した吸着剤Ｘを再生用高温気体ＨＡによる加熱により再生する再生部を構成し、これに対し、第２再熱部１７は、再生部６での吸着剤再生に使用した後の再生用高温気体ＨＡ′を熱源として除湿空気ＳＡを加熱する第２再熱部を構成する。
【００４９】
また、第１外気予冷器２０は除湿対象空気ＲＡ（還気空気）に混合する外気ＯＡを予冷用熱媒Ｌ２により冷却する外気予冷部を構成し、これに対し、第３再熱部１６は、外気予冷部２０での外気冷却に使用した後の予冷用熱媒Ｌ２を熱源として除湿空気ＳＡを加熱する第３再熱部を構成する。
【００５０】
そして、これら第１〜第３再熱部１８〜１６は、その記載順とは逆の順序で除湿空気ＳＡを順次に加熱する状態に配置してある。
【００５１】
〔別実施形態〕
次に本発明の別実施形態を列記する。
【００５２】
前述の実施形態では、ロータ回転軸芯Ｐの方向を気体通過方向とする円盤状の吸着ロータ３を用いる例を示したが、ロータ回転軸芯に対する直交方向を気体通過方向とする円筒状の吸着ロータを用いる装置構成にしてもよい。
【００５３】
また、複数の定置吸着剤層をもって除湿対象空気の除湿と吸着剤層の再生処理とを並行実施しながら、それら複数の定置吸着剤層に対する通風気体を弁装置により切り換えることで、各々の定置吸着剤層を除湿対象空気の除湿に用いた後に再生処理を経て再び除湿に用いる装置構成にしてもよい。
【００５４】
前述の実施形態では、ドライルーム１からの還気空気ＲＡを除湿対象空気として、その還気空気ＲＡと外気ＯＡとの混合気を除湿手段で除湿する例を示したが、除湿対象空気は種々の用途の部屋からの還気空気に限られるものではなく、また、外気混合を伴わない状態で除湿対象空気を除湿する装置構成であってもよい。
【００５５】
そしてまた、除湿手段で除湿した後の空気ＳＡの用途も、室内湿度の調整に限られるものではなく、どのようなものであってもよい。
【産業上の利用可能性】
【００５６】
本発明による除湿装置は、種々の用途の除湿空気の生成に適用することができる。
【図面の簡単な説明】
【００５７】
【図１】装置の全体構成を示す図
【図２】吸着ロータの斜視図
【符号の説明】
【００５８】
ＲＡ          除湿対象空気
１９          予冷手段
Ｘ            吸着剤
３，４        除湿手段
ＳＡ          除湿空気
１６〜１８    再熱手段
ＨＡ          再生用高温気体
Ｓ            高温熱媒
２３          再生用加熱部
Ｓ′          使用後の高温熱媒
６            再生部
ＨＡ′        使用後の再生用高温気体
ＯＡ          外気
Ｌ２          予冷用熱媒
２０          外気予冷部
１８          第１再熱部
１７          第２再熱部
１６          第３再熱部
【図１】
2006326504.tif 000003
【図２】
2006326504.tif 000004